(57)【要約】      （修正有）【課題】首振り式安全かみそりは、かみそりヘッドの揺動角が大きくなると、それに比例するように偏向揺動力が大きくなる。したがって、かみそりヘッドの揺動角の増加につれて揺動が重くなるのである。本発明は、かみそりヘッドの揺動角が大きくなってもかみそりヘッドの揺動が重くなることがなく、かみそりヘッドの円滑な首振りを得ることができる安全かみそりを提供することを目的とする。【解決手段】ホルダー１に取り付けられたかみそりヘッド６が揺動軸線を中心に揺動可能であり、揺動したかみそりヘッド６が元の位置に復帰する偏向揺動力を受ける首振り式安全かみそりであって、かみそりヘッドの揺動に伴なって増加した偏向揺動力をその揺動した角度で除した偏向揺動力の増加傾斜度が、揺動の途中で変化するようにカム装置１５又はカム従動節の係合面が形成されていることを特徴とする。【選択図】  図１
2004166898.tif 000002
【特許請求の範囲】
【請求項１】
ホルダーに取り付けられたかみそりヘッドが揺動軸線を中心に揺動可能であり、かみそりヘッドとホルダーに設けられたカム機構によって、揺動したかみそりヘッドが元の位置に復帰する偏向揺動力を受け、前記カム機構はカム装置とカム従動節とが係合する首振り式安全かみそりにおいて、かみそりヘッドの揺動に伴なって増加した偏向揺動力をその揺動した角度で除した偏向揺動力の増加傾斜度が、揺動の途中で変化するようにカム装置又はカム従動節の係合面が形成されていることを特徴とする安全かみそり
【請求項２】
かみそりヘッドの一方向の揺動に関し、増加傾斜度の変化時に係合するカム装置又はカム従動節の係合面はその変化時に該当する部分で屈曲している請求項１記載の安全かみそり
【請求項３】
変化前の揺動における偏向揺動力の増加傾斜度よりも、変化後の揺動における偏向揺動力の増加傾斜度の方が小さくなるように変化する請求項１又は請求項２記載の安全かみそり
【請求項４】
変化後の揺動における偏向揺動力の増加傾斜度は、変化前の揺動における増加傾斜度の半分以下である請求項３記載の安全かみそり
【請求項５】
変化後の揺動における偏向揺動力の増加傾斜度は、ほぼ０である請求項３記載の安全かみそり
【請求項６】
カム装置又はカム従動節の係合面は、変化前の揺動時に他方の係合面と係合する第１係合面と、変化後の揺動時に係合する第２係合面を有し、カム装置とカム従動節との接触点における共通接線と、前記揺動軸線を中心とし前記接触点を通る円の該接触点における接線とのなす角度を接触角度と定義して、第１係合面における接触角度よりも第２係合面における接触角度の方が小さくなるように係合面が形成されている請求項３乃至請求項５記載の安全かみそり
【請求項７】
第１係合面における接触角度よりも第２係合面における接触角度の方が小さくなるように、両係合面の境が屈曲していることを特徴とする請求項６記載の安全かみそり
【請求項８】
前記第２係合面における接触角度の絶対値はほぼ０度乃至ほぼ３０度である請求項３乃至請求項７記載の安全かみそり
【請求項９】
ホルダーの上端に該ホルダーとほぼ直角をなすようにかみそりヘッドが取り付けられ、カム装置はかみそりヘッドの底面に設けられており、カム従動節はホルダーの上部中央から上方に延びる弾性片であり、カム従動節に形成された第１係合面及び第２係合面が前記カム装置とカム結合した請求項１乃至請求項８記載の安全かみそり
【請求項１０】
係合面は弾性片の上部の背面方向にく字形に屈曲した背面に形成され、く字形の屈曲部から端部方向の背面が第１係合面であり、く字形の屈曲部から基部方向の背面が第２係合面である請求項９記載の安全かみそり
【請求項１１】
かみそりヘッドは、該かみそりヘッドのカム装置の係合面が前記第１及び第２の係合面上を滑るように当初の位置から一方向に揺動し、且つ該揺動を規制する手段を備えている請求項１０記載の安全かみそり
【請求項１２】
かみそりヘッドの底面からＬ字形に端部が刃先縁方向である前方を向くように突出し、該端部がカム従動節とカム係合する請求項９乃至請求項１１記載の安全かみそり
【請求項１３】
かみそりヘッドの揺動を規制する手段は、ホルダーと一体に形成されたストッパーであって、該ストッパーは前記弾性片の両側近傍に位置している請求項１１又は請求項１２記載の安全かみそり
【請求項１４】
弾性片から間隔を置いた両側近傍に凹の円弧状をなすかみそりヘッド受け面及び該かみそりヘッド受け面と一体にストッパーが形成され、かみそりヘッドの底面には凸の円弧状をなし前記かみそりホルダー受け面と面接触する凸面部が一体に形成され、これらのかみそりヘッド受け面及び凸面部はホルダーとかみそりヘッドとの結合装置と別に設けられている請求項９乃至請求項１３記載の安全かみそり
【請求項１５】
揺動途中における増加傾斜度の変化する過程を経てかみそりヘッドが揺動範囲の一杯近くまで揺動したときに、偏向揺動力の増加傾斜度がそれまでのどの増加傾斜度よりも大きくなるように変化する請求項１乃至請求項１４記載の安全かみそり
【発明の詳細な説明】
【０００１】
【発明の属する技術分野】
本発明は、かみそりヘッドを揺動可能にホルダーに取り付けた首振り式安全かみそりに関する。
【０００２】
【従来の技術】
首振り式安全かみそりは、使用中に顔の凹凸に対応してかみそりヘッドが揺動する構造であって、広く利用され需要者に受け入れられている。首振り式安全かみそりで最も重要なことは、使用中にいかに滑らかにかみそりヘッドが揺動するかということである。特にかみそりヘッドの揺動角が大きくなると、それに比例するようにかみそりヘッドを元の位置に復帰させる偏向揺動力も大きくなり、かみそりヘッドの揺動が重くなるのである。そこで、かみそりヘッドのカム面に偏向揺動力を与えるカム従動節をホルダーに弾性片状に形成し、途中にこぶのように突き出た屈曲部を設けたものがある（例えば、特許文献１参照）。
【０００３】
【特許文献１】
特許第３０２８４０８号公報
【０００４】
【発明が解決しようとする課題】
前記特許文献１は、カム従動節であるプッシャーにこぶ状の屈曲部を設け、プッシャーの上下動と前後の揺動でかみそりヘッドに軟らかくバランスのよい首振り揺動を与えようとするものである。しかし、このような構成であっても、かみそりヘッドの揺動角が大きくなると、それに比例するように偏向揺動力が大きくなることに変わりはない。したがって、かみそりヘッドの揺動角の増加につれて揺動が重くなるのである。そこで、本発明は、かみそりヘッドの揺動角が大きくなったときに、そのときまで揺動角に比例するように増加する偏向揺動力の増加傾斜度を、それまでよりも小さくして偏向揺動力が同じような割合で増加しないようにするものである。これによって、かみそりヘッドの揺動角が大きくなってもかみそりヘッドの揺動が重くなることがなく、かみそりヘッドの円滑な首振りを得ることができる安全かみそりを提供することを目的とする。
【０００５】
さらには、特にカム従動節の弾性力を弱くして偏向揺動力が小さくなるように設定した安全かみそりでは、かみそりヘッドの揺動を一定の角度で止めるためのストッパーを設ける必要がある。しかし、かみそりヘッドの揺動をストッパーで止めると、揺動が急に止まるので、揺動がかみそりヘッドの後部が下がる方向に揺動しているときはヒゲを剃り残す虞がある。そこで、揺動を緩やかに止めるためにはストッパーを設けず、揺動が困難になる程度に偏向揺動力を増加させればよい。そこで、本発明は、かみそりヘッドの揺動が一杯に近づいたときに、揺動が突然止まるのではなくやや柔軟性をもって止まる安全かみそりを提供することも目的とする。
【０００６】
【課題を解決するための手段】
本発明の請求項１は、かみそりヘッドの揺動に伴なって増加した偏向揺動力をその揺動した角度で除した偏向揺動力の増加傾斜度が、揺動の途中で変化するようにカム装置又はカム従動節の係合面が形成されている構成である。増加傾斜度が揺動の途中で変化するとは、例えば、それまでの増加傾斜度に比べて８０％程度に減少するというようなはっきりした変化である。
【０００７】
請求項２は、かみそりヘッドの一方向の揺動に関し、増加傾斜度の変化時に係合するカム装置又はカム従動節の係合面はその変化時に該当する部分で屈曲している構成であり、請求項３は、変化前の揺動における偏向揺動力の増加傾斜度よりも、変化後の揺動における偏向揺動力の増加傾斜度の方が小さくなるように変化する構成である。請求項４は、変化後の揺動における偏向揺動力の増加傾斜度が、変化前の揺動における増加傾斜度の半分以下であり、請求項５は、変化後の揺動における偏向揺動力の増加傾斜度は、ほぼ０である構成である。
【０００８】
請求項６は、カム装置又はカム従動節の係合面は、変化前の揺動時に他方の係合面と係合する第１係合面と、変化後の揺動時に係合する第２係合面を有し、カム装置とカム従動節との接触点における共通接線と、前記揺動軸線を中心とし前記接触点を通る円の該接触点における接線とのなす角度を接触角度と定義して、第１係合面における接触角度よりも第２係合面における接触角度の方が小さくなるように係合面が形成されている構成である。
【０００９】
請求項７は、第１係合面における接触角度よりも第２係合面における接触角度の方が小さくなるように、両係合面の境が屈曲している構成であり、請求項８は、前記第２係合面における接触角度の絶対値がほぼ０度乃至ほぼ３０度である構成である。
【００１０】
請求項９は、ホルダーの上端に該ホルダーとほぼ直角をなすようにかみそりヘッドが取り付けられ、カム装置はかみそりヘッドの底面に設けられており、カム従動節はホルダーの上部中央から上方に延びる弾性片であり、カム従動節に形成された第１係合面及び第２係合面が前記カム装置とカム結合した要素が請求項１乃至請求項８に限定的に付加された構成である。
【００１１】
請求項１０は、係合面が弾性片の上部の背面方向にく字形に屈曲した背面に形成され、く字形の屈曲部から端部方向の背面が第１係合面であり、く字形の屈曲部から基部方向の背面が第２係合面である要素が請求項９に限定的に付加された構成であり、請求項１１は、かみそりヘッドは、該かみそりヘッドのカム装置の係合面が前記第１及び第２の係合面上を滑るように当初の位置から一方向に揺動し、且つ該揺動を規制する手段を備えている構成であり、請求項１２は、かみそりヘッドの底面からＬ字形に端部が刃先縁方向である前方を向くように突出し、該端部がカム従動節とカム係合する構成である。請求項１３は、かみそりヘッドの揺動を規制する手段は、ホルダーと一体に形成されたストッパーであって、該ストッパーは前記弾性片の両側近傍に位置している要素が請求項１１又は請求項１２に限定的に付加された構成である。
【００１２】
請求項１４は、弾性片から間隔を置いた両側近傍に凹の円弧状をなすかみそりヘッド受け面及び該かみそりヘッド受け面と一体にストッパーが形成され、かみそりヘッドの底面には凸の円弧状をなし前記かみそりホルダー受け面と面接触する凸面部が一体に形成され、これらのかみそりヘッド受け面及び凸面部はホルダーとかみそりヘッドとの結合装置と別に設けられている構成である。
【００１３】
請求項１５は、揺動途中における増加傾斜度の変化する過程を経てかみそりヘッドが揺動範囲の一杯近くまで揺動したときに、偏向揺動力の増加傾斜度がそれまでのどの増加傾斜度よりも大きくなるように変化する構成である。すなわち、増加傾斜度の変化が一度でない構成である。
【００１４】
【発明の効果】
請求項１は、かみそりヘッドの揺動に伴なって増加した偏向揺動力をその揺動した角度で除した偏向揺動力の増加傾斜度が、揺動の途中で変化するようにカム装置又はカム従動節の係合面が形成されている構成である。これによって、偏向揺動力の増加傾斜度が小さく変化する場合は、それ以上かみそりヘッドを揺動しても偏向揺動力の増加がわずかであるから、かみそりヘッドを円滑に揺動することができる。また、偏向揺動力の増加傾斜度が大きく変化する場合は、それ以上かみそりヘッドを揺動したときに偏向揺動力が大きくなって揺動を規制することができる。このことは、従来、ストッパーによってかみそりヘッドの揺動を急に停止することによってヒゲの剃り残しを生じていたが、これを効果的に防止することができる。
【００１５】
請求項２は、かみそりヘッドの一方向の揺動に関し、増加傾斜度の変化時に係合するカム装置又はカム従動節の係合面はその変化時に該当する部分で屈曲している構成である。カム装置又はカム従動節の係合面を屈曲させることによって増加傾斜度を容易に変化させることができる。請求項３は、変化前の揺動における偏向揺動力の増加傾斜度よりも、変化後の揺動における偏向揺動力の増加傾斜度の方が小さくなるように変化する構成である。この構成によって、請求項１の効果で述べたように偏向揺動力の増加を途中で抑えることによって、かみそりヘッドを円滑に揺動させることができる。請求項４は、変化後の揺動における偏向揺動力の増加傾斜度が、変化前の揺動における増加傾斜度の半分以下であるから、偏向揺動力の増加を顕著に抑えることができる。請求項５は、変化後の揺動における偏向揺動力の増加傾斜度は、ほぼ０であるから、変化後に偏向揺動力はほとんど増加せず、かみそりヘッドがきわめて滑らかに揺動する。
【００１６】
請求項６は、カム装置又はカム従動節の係合面は、変化前の揺動時に他方の係合面と係合する第１係合面と、変化後の揺動時に係合する第２係合面を有し、カム装置とカム従動節との接触点における共通接線と、前記揺動軸線を中心とし前記接触点を通る円の該接触点における接線とのなす角度を接触角度と定義して、第１係合面における接触角度よりも第２係合面における接触角度の方が小さくなるように係合面が形成されている。このような構成にすることによって、偏向揺動力の増加傾斜度を小さくすることができる。
【００１７】
請求項７は、第１係合面における接触角度よりも第２係合面における接触角度の方が小さくなるように、両係合面の境が屈曲した構成である。これにより、偏向揺動力の増加傾斜度を小さくするための構造を簡単に形成することができてコストを安くすることができる。請求項８は、前記第２係合面における接触角度の絶対値がほぼ０度乃至ほぼ３０度である構成である。このような角度とすることによって、偏向揺動力の増加傾斜度を十分に小さくすることができる。
【００１８】
請求項９は、ホルダーの上端に該ホルダーとほぼ直角をなすようにかみそりヘッドが取り付けられ、カム装置はかみそりヘッドの底面に設けられており、カム従動節はホルダーの上部中央から上方に延びる弾性片であり、カム従動節に形成された第１係合面及び第２係合面が前記カム装置とカム結合した構成である。したがって、カム従動節はホルダーに設けられ、第１係合面及び第２係合面はこのカム従動節に形成されているから、偏向揺動力の増加傾斜度を変化させる構造が簡単であって製造が容易である。
【００１９】
請求項１０は、係合面が弾性片の上部の背面方向にく字形に屈曲した背面に形成され、く字形の屈曲部から端部方向の背面が第１係合面であり、く字形の屈曲部から基部方向の背面が第２係合面である構成である。このような構成にしたことによって、偏向揺動力の増加傾斜度を変化させる構造が簡単であって製造が容易である。請求項１１は、かみそりヘッドは、該かみそりヘッドのカム装置の係合面が前記第１及び第２の係合面上を滑るように当初の位置から一方向に揺動し、且つ該揺動を規制する手段を備えている構成である。一方の方向へ揺動するときは揺動角を大きくすることができるが、従来はそれに伴なって偏向揺動力がかなり増加した。しかし、本項の構成では偏向揺動力の増加傾斜度を途中で小さくすることができるから、従来よりも円滑に大きな揺動を得ることができる。請求項１２は、かみそりヘッドの底面からＬ字形に端部が刃先縁方向である前方を向くように突出し、該端部がカム従動節とカム係合する構成である。このように構成することによって、これと係合するカム従動節を請求項１０のように簡単な構成とすることができる。請求項１３は、かみそりヘッドの揺動を規制する手段は、ホルダーと一体に形成されたストッパーであって、該ストッパーは前記弾性片の両側近傍に位置している。したがって、かみそりヘッドを弾性片の両側近傍、すなわちかみそりヘッドの中央付近でストッパーにより支持するので、かみそりヘッドの中央付近が撓んで変形する虞がないのである。
【００２０】
請求項１４は、弾性片から間隔を置いた両側近傍に凹の円弧状をなすかみそりヘッド受け面及び該かみそりヘッド受け面と一体にストッパーが形成され、かみそりヘッドの底面には凸の円弧状をなし前記かみそりホルダー受け面と面接触する凸面部が一体に形成され、これらのかみそりヘッド受け面及び凸面部はホルダーとかみそりヘッドとの結合装置と別に設けられている構成である。したがって、ストッパーがかみそりヘッド受け面と一体に形成されているので、新たにストッパーを設けることがなく製造が容易となる。
【００２１】
請求項１５は、揺動途中における増加傾斜度の変化する過程を経てかみそりヘッドが揺動範囲の一杯近くまで揺動したときに、偏向揺動力の増加傾斜度がそれまでのどの増加傾斜度よりも大きくなるように変化する構成である。すなわち、増加傾斜度が二度変化する構成である。これによって、一杯に揺動したときに、その揺動が突然停止することによるヒゲの剃り残しを防止できる。
【００２２】
【発明の実施の形態】
次に本発明の実施の形態を図面に従って説明する。図３に示すようにホルダー１は上部に一対のアーム２，２が一体に設けられている。アーム２，２は幅広に形成され、上部両端から突出する突起部４，４に内向きのジャーナル軸３，３が一体に形成されている。両アーム２，２の内側部に沿って板状の受け部５，５が突出するように一体に設けられている。この受け部５，５がかみそりヘッド６の揺動を受けるためのものであって、その上端に凹の円弧状をなす受け面７，７が形成されている。
【００２３】
図３に示すように、ホルダー１から両アーム２，２の間を通って上部に延びる弾性片８がホルダー１と一体に設けられている。この弾性片８がかみそりヘッド６のカム装置と係合するカム従動節である。図４に示すように、弾性片８の上端部は背面方向にく字形に屈曲し、屈曲部９から上方部分が第１係合面１０で下方部分が第２係合面１１となる。両係合面１０，１１はほぼ平面状に形成されており、両係合面１０，１１のなす角度は１００度である。角度はほぼ９０度からほぼ１４０度程度が好ましいがこれに限定されるものではない。また、係合面は平面状でなくてもよく、やや凸の弧状であってもよい。屈曲部９の表面は滑らかな弧状に形成されることが好ましいがこれに限定されることはなく、角張った屈曲であっても差し支えない。また、弾性部８は、ホルダー１の背面側に寄っている。これは、弾性部８がかみそりヘッド６に対してその後部を上げる一方向のみの偏向揺動力を与えるからである。したがって、弾性片８は背面側に寄っている方が構成上都合が良いのである。
【００２４】
かみそりヘッド６は刃台１２と天板１３との間に刃体２１，２２が挟着固定されている。かみそりヘッド６の底面にはジャーナル軸受（図示せず。）が設けられており、ホルダーのジャーナル軸３とジャーナル結合し、ジャーナル軸線を中心に揺動可能にホルダー１に取りつけられている。かみそりヘッド６はホルダー１に交換可能に取り付けられてもよく、恒久的に取り付けられてもよい。
【００２５】
図１及び図６に示すように、かみそりヘッド６の底面にカム装置１５が刃台１２と一体に設けられている。カム装置１５は、幅が弾性片８の先端とほぼ同じであり、断面がほぼＬ字形であって端部１６が刃先縁方向を向いており、その下部は滑らかな弧状に形成されている。この端部１６付近の表面がカム面１７となる。
【００２６】
図５は、かみそりヘッド６がほぼ一杯に揺動して、かみそりヘッドの底面２３がストッパー部１９に当たる直前の状態を示している。図６の点線で示すように、かみそりヘッド６の前部底面に一対の凸面部１８が形成されている。この凸面部１８が、前述したホルダーの受け面７，７と係合してかみそりヘッド６の揺動を円滑にすることができる。また、図４に示すように、受け面７の上方にストッパー部１９が形成されている。ヒゲ剃り時にかみそりヘッド６の底面がストッパー部１９に当たって、かみそりヘッド６が過剰に揺動することを防止するためのものである。
【００２７】
次に本発明の作用について説明する。図１は揺動の第１段階を示している。すなわち、カム装置１５が弾性片の第１係合面１０と係合している状態である。この場合、偏向揺動力の増加傾斜度は比較的大きく設定されており、かみそりヘッド６の揺動に伴なって偏向揺動力が増加し、徐々にかみそりヘッド６の揺動が重くなりつつある状態である。偏向揺動力の増加傾斜度が大きい理由は、図７に示すように、この状態におけるカム装置１５と第１係合面１０との接触点１４における共通接線２４と、かみそりヘッド６の揺動軸線を中心としこの接触点１４を通る円２６の当該接触点１４における接線２８とのなす角度である接触角度θａが比較的大きいからである。ここで揺動軸線とは、両ジャーナル軸３，３の中心を結ぶ線である。接触角度θａが大きいということは、カム装置１５が接触点１４において弾性片８をその変位する方向に押す分力が大きいということであって、そのために偏向揺動力が比較的大きく増加するのである。
【００２８】
図２は揺動の第２段階を示している。すなわち、カム装置１５が屈曲部９を通過して第２係合面１１と係合している状態である。図８に示すように、この状態におけるカム装置１５と第２係合面１１との接触点１４における共通接線２５と、かみそりヘッド６の揺動軸線を中心としこの接触点１４と通る円２７の当該接触点１４における接線２９との接触角度θｂは、前述した第１段階に比べて小さくなっている。このことは第１段階と比較して、増加する揺動角に対して弾性片８の変位の増加はわずかであって、偏向揺動力の増加もわずかであり、かみそりヘッド６の揺動の重さもあまり変わらない。したがって、第２段階の揺動も円滑に行なうことができる。第２係合面における接触角度θｂはほぼ０度からほぼ３０度程度が好ましいが、３０度を超えても差し支えない。
【００２９】
前述したように、揺動の第１段階における偏向揺動力の増加傾斜度は第２段階で小さく変化するが、その変化の割合は第１段階の増加傾斜度に対して第２段階の増加傾斜度がほぼ８０％以下であれば効果は得られる。７０％程度でも６０％程度でもよい。好ましくは半分以下がよい。ほとんど増加しないほぼ０％であってもよい。
【００３０】
揺動の第２段階の途中から、偏向揺動力の増加傾斜度を第１段階よりも大きくする構成を設けてもよい。例えば、図１において第２係合面１１の途中で第３の係合面として第２係合面１１に対して高くなる傾斜面を形成することにより、増加傾斜度を大きくすることができる。これによって、ストッパー部１９を設けなくても揺動を規制することができる。
【００３１】
図６は、かみそりヘッドの複数の刃体と天板とガードバーの好ましい関係を示したものである。天板１３とガードバー２０を結ぶ共通接線に対して突出する上刃２１の刃先縁から前記共通接線に垂直に引いた露出量をｈ１、下刃２２の同じ露出量をｈ２、上刃２１と共通接線のなす角度である剃り角度をθ１、下刃２２の剃り角度をθ２として、露出量ｈは共に０．１ｍｍ以下であって且つｈ１がｈ２以上であり、剃り角度θは共に１０度から２０度であるときに滑らかに剃ることができる。また、ホルダーの把持部を通る軸線に対して前記共通接線のなす角度であるホルダー角度は、不使用時で１８度、かみそりヘッドが４５度揺動するとして使用時に１８度から５８度にすると剃り心地のよい安全かみそりを得ることができる。
【図面の簡単な説明】
【図１】かみそりヘッドの第１段階の揺動状態を示す断面図
【図２】かみそりヘッドの第２段階の揺動状態を示す断面図
【図３】ホルダーの上部背面図
【図４】かみそりヘッドを外した状態のホルダーの上部断面図
【図５】かみそりヘッドがほぼ一杯に揺動した状態においてアームと弾性片の間の空間を通る線で切ったホルダーの上部断面図
【図６】かみそりヘッドの刃先縁付近の断面図
【図７】第１段階の揺動における共通接線の接触角度を示す断面図
【図８】第２段階の揺動における共通接線の接触角度を示す断面図
【符号の説明】
１  ホルダー
２  アーム
３  ジャーナル軸
４  突起部
５  受け部
６  かみそりヘッド
７  受け面
８  弾性片
９  屈曲部
１０  第１係合面
１１  第２係合面
１２  刃台
１３  天板
１４  接触点
１５  カム装置
１６  端部
１７  カム面
１８  凸面部
１９  ストッパー部
２０  ガードバー
２１  上刃
２２  下刃
２３  かみそりヘッドの底面
２４  共通接線
２５  共通接線
２６  円
２７  円
２８  接線
２９  接線
【図１】
2004166898.tif 000003
【図２】
2004166898.tif 000004
【図３】
2004166898.tif 000005
【図４】
2004166898.tif 000006
【図５】
2004166898.tif 000007
【図６】
2004166898.tif 000008
【図７】
2004166898.tif 000009
【図８】
2004166898.tif 000010